【手続補正書】
【提出日】平成26年11月7日(2014.11.7)
【手続補正１】
【補正対象書類名】特許請求の範囲
【補正対象項目名】全文
【補正方法】変更
【補正の内容】
【特許請求の範囲】
【請求項１】
認証要求者を認証する方法であって、
前記認証要求者から、少なくとも１つのスポットビーム送信から前記認証要求者によって捕捉された少なくとも１つのデータ集合を受信することと、
前記少なくとも１つのデータ集合を、既知の有効データ集合と比較することと、
前記認証要求者が捕捉した前記データと前記有効データ集合との差が閾値以下である場合に前記認証要求者を認証することと
を含む方法。
【請求項２】
前記少なくとも１つのスポットビーム送信は、低高度軌道周回衛星、中高度軌道周回衛星、地球同期軌道衛星、及び擬似衛星のうちの少なくとも１つの衛星から送出される、請求項１に記載の方法。
【請求項３】
一方向認証、多方向認証、及び多方向ピアツーピア装置認証のうちの少なくとも１つに使用される、請求項１に記載の方法。
【請求項４】
前記認証要求者は更に、検証装置に対し、少なくとも１つの位置識別情報及び時刻のうちの少なくとも１つを供給する、請求項１に記載の方法。
【請求項５】
前記少なくとも１つの位置識別情報は、地球座標系に基づいており、前記地球座標系は、緯度、経度、高度、及び地理的位置ロケータのうちの少なくとも１つを含む、請求項４に記載の方法。
【請求項６】
前記少なくとも１つのデータ集合は、擬似ランダム（ＰＲＮ）コードセグメント、タイムスタンプ、タイミングコードセグメント、スポットビーム送出ビークル識別情報、ビーム識別情報、時刻バイアスパラメータ、及びスポットビーム送出ビークル軌道データのうちの少なくとも１つを含む、請求項１に記載の方法。
【請求項７】
前記位置識別情報を、前記タイムスタンプに対応する時刻における前記スポットビームの既知の位置と比較することを含む、請求項４に記載の方法。
【請求項８】
前記認証要求者は電子計算装置を備え、
前記認証要求者は、前記電子計算装置から送信されるメッセージ毎に個別に認証される、
請求項１に記載の方法。
【請求項９】
前記認証要求者はリモート装置との間で通信セッションを確立し、
前記認証要求者は前記通信セッションにおいて少なくとも１回認証される、請求項１に記載の方法。
【請求項１０】
前記認証要求者は少なくとも２つの位置を経時的に収集し、前記少なくとも２つの位置を既知の有効データ集合と比較することで、前記認証要求者を、前記認証要求者の計画移動経路に関する情報を利用して認証する、請求項１に記載の方法。
【請求項１１】
認証要求者を認証する装置であって、
プロセッサと、
論理命令群を含むメモリモジュールと
を備え、前記論理命令群は、実行されると、前記プロセッサを請求項１から１０のいずれか一項に記載の方法により認証要求者を認証させるように構成する、
装置。
【請求項１２】
実行されると、前記プロセッサを、
前記認証要求者が認証されたときに、リモートホストが提供するサービスへの前記認証要求者によるアクセスを許可する
ように構成する論理命令群を更に含む、請求項１１に記載の装置。
【請求項１３】
認証要求者を認証するシステムであって、
スポットビームを既知のスポットビーム形状に従って送出する少なくとも１つの信号発信源と、
スポットビーム送信からの少なくとも１つのデータ集合を受信する受信機を備える少なくとも１つの電子装置と、
前記少なくとも１つの電子装置に通信可能に接続されて、認証要求者を、前記少なくとも１つのデータ集合及び既知の有効データ集合を利用して認証する少なくとも１つの検証装置と
を備えるシステム。
【請求項１４】
前記少なくとも１つの電子装置は該電子装置の位置を求めることができる、請求項１３に記載のシステム。
【請求項１５】
前記少なくとも１つの検証装置は、
プロセッサと、
論理命令群を含むメモリモジュールと
を備え、前記論理命令群は、実行されると、前記プロセッサを、
前記電子装置から、スポットビーム送信からの少なくとも１つのデータ集合を受信し、
前記少なくとも１つのデータ集合を、既知の有効データ集合と比較し、
前記少なくとも１つのデータ集合と前記既知の有効データ集合との差が閾値以下である場合に前記認証要求者を認証する
ように構成する、請求項１３に記載のシステム。
【手続補正２】
【補正対象書類名】明細書
【補正対象項目名】００６９
【補正方法】変更
【補正の内容】
【００６９】
種々の実施形態を、構造的特徴及び／又は方法論的作用に特有の文言で説明してきたが、請求する主題は、記載される特定の特徴又は作用に限定されてはならないことを理解されたい。限定されるのではなく、特定の特徴及び作用は、請求する主題を実施する例示的な形態として開示される。
また、本発明は以下に記載する態様を含む。
（態様１）
認証要求者を認証する方法であって、
前記認証要求者から、少なくとも１つのスポットビーム送信から取り出される少なくとも１つのビームデータ集合を受信することと、
前記少なくとも１つのビームデータ集合を、既知の有効データ集合と比較することと、
前記認証要求者が受信した前記データと前記有効データ集合との差が閾値以下である場合に前記認証要求者を認証することと
を含む方法。
（態様２）
前記少なくとも１つのスポットビーム送信は、低高度軌道周回衛星、中高度軌道周回衛星、地球同期軌道衛星、又は擬似衛星のうちの少なくとも１つの衛星から送出される、態様１に記載の方法。
（態様３）
一方向認証、多方向認証、多方向ピア装置間認証のうちの少なくとも１つに使用される、態様１に記載の方法。
（態様４）
前記認証要求者は更に、検証装置に対し、少なくとも１つの位置識別情報及び時刻のうちの少なくとも１つを供給する、態様１に記載の方法。
（態様５）
前記少なくとも１つの位置識別情報は、地球座標系に基づいており、前記地球座標系は、緯度、経度、高度、又は地理的位置ロケータのうちの少なくとも１つを含む、態様４に記載の方法。
（態様６）
前記少なくとも１つのビームデータ集合は、擬似ランダム（ＰＲＮ）コードセグメント、タイムスタンプ、タイミングコードセグメント、スポットビーム送出ビークル識別情報、ビーム識別情報、時刻バイアスパラメータ、又はスポットビーム送出ビークル軌道データのうちの少なくとも１つを含む、態様１に記載の方法。
（態様７）
前記位置識別情報、及び前記少なくとも１つのビームデータ集合を、既知の有効データ集合と比較することは、前記位置識別情報を、前記タイムスタンプに対応する時刻における前記スポットビームの既知の位置と比較することを含む、態様４に記載の方法。
（態様８）
前記認証要求者は電子計算装置を備え、
前記認証要求者は、前記電子計算装置から送信されるメッセージ毎に個別に認証される、
態様１に記載の方法。
（態様９）
前記認証要求者はリモート装置との間で通信セッションを確立し、
前記認証要求者は前記通信セッションにおいて少なくとも１回認証される、態様１に記載の方法。
（態様１０）
前記認証要求者は少なくとも２つの位置を経時的に収集し（例えば、ポーリングし）、前記少なくとも２つの位置を既知の有効データ集合と比較することで、前記認証要求者を、前記認証要求者の計画移動経路に関する情報を利用して認証する、態様１に記載の方法。
（態様１１）
認証要求者を認証する装置であって、
プロセッサと、
論理命令群を含むメモリモジュールと
を備え、前記論理命令群は、実行されると、前記プロセッサを、
前記認証要求者から、スポットビーム送信から取り出される少なくとも１つのビームデータ集合を受信し、
少なくとも１つのビームデータ集合を、既知の有効データ集合と比較し、
少なくとも１つのビームデータ集合と前記既知の有効データ集合との差が閾値以下である場合に前記認証要求者を認証する
ように構成する、
装置。
（態様１２）
更に、論理命令群を含み、前記論理命令群は、実行されると、前記プロセッサを、位置識別情報及び時刻のうちの少なくとも１つを利用して、前記既知の有効データ集合と照合して正しいことを証明するように構成する、態様１１に記載の装置。
（態様１３）
前記少なくとも１つのビームデータ集合は、擬似ランダム（ＰＲＮ）コードセグメント、タイムスタンプ、タイミングコードセグメント、スポットビーム送出ビークル識別情報、時刻バイアスパラメータ、ビーム識別情報、又はスポットビーム送出ビークル軌道データのうちの少なくとも１つを含む、態様１１に記載の装置。
（態様１４）
更に、論理命令群を含み、前記論理命令群は、実行されると、前記プロセッサを、前記位置識別情報を前記タイムスタンプに対応する時刻における前記スポットビームの既知の位置と比較するように構成する、態様１１に記載の装置。
（態様１５）
前記認証要求者は電子計算装置を備え、
前記認証要求者は、前記電子計算装置から送信されるメッセージ毎に個別に認証される、態様１１に記載の装置。
（態様１６）
前記認証要求者は一連のウェイポイントデータスナップショットを経時的に収集し、前記一連のウェイポイントデータスナップショットを既知の有効データ集合と比較することで、前記認証要求者の移動経路が認証される、態様１１に記載の装置。
（態様１７）
更に論理命令群を含み、前記論理命令群は、実行されると、前記プロセッサを、
前記認証要求者が認証されたときに、リモートホストが提供するサービスへの前記認証要求者によるアクセスを許可する
ように構成する、態様１１に記載の装置。
（態様１８）
認証要求者を認証するシステムであって、
スポットビームを既知のスポットビーム形状に従って送出する少なくとも１つの信号発信源と、
スポットビーム送信から取り出される少なくとも１つのビームデータ集合を受信する受信機を備える少なくとも１つの電子装置と、
前記少なくとも１つの電子装置に通信可能に接続されて、認証要求者を、前記少なくとも１つのビームデータ集合及び既知の有効データ集合を利用して認証する少なくとも１つの検証装置と
を備えるシステム。
（態様１９）
前記少なくとも１つの電子装置は該電子装置の位置を求めることができる、態様１８に記載のシステム。
（態様２０）
前記少なくとも１つの電子装置の求められた前記位置が更に利用されて、前記電子装置が認証される、態様１９に記載のシステム。
（態様２１）
前記少なくとも１つの電子装置は、携帯電話機、携帯用計算装置、コンピュータネットワークノード、サーバ、無線ネットワーキングノード、又は生体認証検証システムのうちの少なくとも１つを含む、態様１８に記載のシステム。
（態様２２）
前記少なくとも１つの検証装置は、
プロセッサと、
論理命令群を含むメモリモジュールと
を備え、前記論理命令群は、実行されると、前記プロセッサを、
前記電子装置から、スポットビーム送信から取り出される少なくとも１つのビームデータ集合を受信し、
前記少なくとも１つのビームデータ集合を、既知の有効データ集合と比較し、
前記少なくとも１つのビームデータ集合と前記既知の有効データ集合との差が閾値以下である場合に前記認証要求者を認証する
ように構成する、態様１８に記載のシステム。
（態様２３）
前記認証要求者は、前記少なくとも１つの位置識別情報と前記既知の有効データ集合との差が閾値以下である場合に認証される、態様１８に記載のシステム。
（態様２４）
前記少なくとも１つの検証装置は論理命令群を含み、前記論理命令群は、実行されると、前記位置識別情報を前記タイムスタンプに対応する時刻における前記スポットビームの既知の位置と比較するように、前記プロセッサを構成する、態様２２に記載のシステム。
（態様２５）
認証要求装置をホストネットワークで認証するシステムであって、
前記認証要求装置及び前記ホストネットワークに通信可能に接続される受信側装置であって、ビークルから送出されるスポットビームに関連する少なくとも１つの擬似ランダムコードを受信する前記受信側装置と、
前記ホストネットワークに接続される認証サーバと
を備え、
前記受信側装置は、認証要求者から前記ホストネットワークに認証リクエストを送信する、
システム。
（態様２６）
多方向認証システムであって、
ビークルから送出されるスポットビームに関連する少なくとも１つの擬似ランダムコードを受信する第１受信側装置と、
通信ネットワークを介して前記第１受信側装置に通信可能に接続される第２装置と
を備え、
前記第１受信側装置及び前記第２装置は、前記擬似ランダムコードの少なくとも一部を共有共通鍵として用いてピア間認証処理手順を実行する、
システム。
（態様２７）
前記第１受信側装置又は前記第２装置のうちの少なくとも１つは、認証成功後にリソースへのアクセス度合いを判断する、態様２７に記載のシステム。
（態様２８）
前記第１受信側装置又は前記第２装置のうちの少なくとも１つは、認証後ネットワークを構築し、該認証後ネットワークは、１つ以上のサイバーセキュリティポリシーを実行して、所定のコンテキストのネットワーク接続された１つ以上のリソースとの通信、及びネットワーク接続された１つ以上のリソースへのアクセスを保護する、態様２７に記載のシステム。
（態様２９）
前記認証サーバは、前記認証要求者が提供する情報を利用して、前記認証要求者の地理的位置を特定する、態様２７に記載のシステム。
（態様３０）
前記信号発信源は、少なくとも１つのスポットビームを生成するマルチフェーズドアレーアンテナを含む、態様１８に記載のシステム。